(57)【要約】【課題】  脱穀装置において、二番物回収部に入りかけた二番物が逆流して一番物回収部に入り込むような状態を抑える。【解決手段】  一番物回収部７が搬送上手側で二番物回収部８が搬送下手側に位置するように配置し、一番物回収部７と二番物回収部８との間の仕切り部分から上方に風を送り出す送風手段２７を備える。【選択図】        図２
2005102506.tif 000002
【特許請求の範囲】
【請求項１】
扱胴が備えられた扱室と、前記扱室で脱穀処理された処理物を受け止めて選別処理する選別部とを備えて、
前記選別部から漏下した一番物を回収する一番物回収部と、前記選別部から漏下した二番物を回収する二番物回収部とを、前記選別部の下方に配置し、前記一番物回収部が搬送上手側で前記二番物回収部が搬送下手側に位置するように配置すると共に、
前記一番物回収部と二番物回収部との間の仕切り部分から上方に風を送り出す送風手段を備えてある脱穀装置。
【請求項２】
前記一番物回収部と二番物回収部との間の仕切り部分から選別部の搬送下手側部に向けて、搬送下手側の斜め上方に風が送り出されるように構成してある請求項１に記載の脱穀装置。
【発明の詳細な説明】
【技術分野】
【０００１】
本発明は脱穀装置において、一番物及び二番物の回収の構造に関する。
【背景技術】
【０００２】
脱穀装置では例えば特許文献１に開示されているように、扱胴（特許文献１の図１中の６）が備えられた扱室（特許文献１の図１中の２）、扱室で脱穀処理された処理物を受け止めて選別処理する選別部（特許文献１の図１中の３）を備えて、一番物回収部（特許文献１の図１中の４）と二番物回収部（特許文献１の図１中の５）とを、選別部の下方に配置し、一番物回収部が搬送上手側で二番物回収部が搬送下手側に位置するように配置したものがある。
これにより、選別部から漏下した一番物が一番物回収部に回収されて、脱穀装置から外部に排出される（例えばコンバインに搭載された脱穀装置では、一番物がグレンタンクやホッパーに搬送される）。選別部から漏下した二番物が二番物回収部に回収され扱室に搬送されて、再び脱穀処理される。
【０００３】
【特許文献１】特開２００３−２３８４４号公報（図１）
【発明の開示】
【発明が解決しようとする課題】
【０００４】
一番物及び二番物を別々に回収する場合、二番物回収部に入りかけた二番物が逆流して一番物回収部に入り込まないようにする為に、特許文献１の構造では一番物回収部と二番物回収部との間に比較的高い仕切り部分を備えている。この場合、二番物回収部に入りかけた二番物が逆流して一番物回収部に入り込むような状態をさらに抑える為には、前述の仕切り部分をさらに高いものにすればよいのであるが、このように仕切り部分を高いものに構成すると、その分だけで脱穀装置が背の高いものになるので、好ましくない。
本発明は脱穀装置において、脱穀装置が背の高いものになるのを抑えながら、二番物回収部に入りかけた二番物が逆流して一番物回収部に入り込むような状態を、良く抑えることができるように構成することを目的としている。
【課題を解決するための手段】
【０００５】
［Ｉ］
（構成）
本発明の第１特徴は、脱穀装置において次のように構成することにある。
扱胴が備えられた扱室と、扱室で脱穀処理された処理物を受け止めて選別処理する選別部とを備える。選別部から漏下した一番物を回収する一番物回収部と、選別部から漏下した二番物を回収する二番物回収部とを、選別部の下方に配置し、一番物回収部が搬送上手側で二番物回収部が搬送下手側に位置するように配置する。一番物回収部と二番物回収部との間の仕切り部分から上方に風を送り出す送風手段を備える。
【０００６】
（作用）
本発明の第１特徴によると、一番物回収部及び二番物回収部が選別部の下方に配置された状態において、一番物回収部と二番物回収部との間の仕切り部分から上方に風が送り出されている。
従って、本発明の第１特徴によると、二番物回収部に入りかけた二番物が逆流して一番物回収部に入り込もうとし仕切り部分に達した場合、仕切り部分から上方に風が送り出されているので、一番物回収部に入り込もうとした二番物が風の流れにより止められる。このように、二番物回収部に入りかけた二番物が逆流して一番物回収部に入り込むような状態を風によって良く抑えることができれば、仕切り部分を必要以上に高いものに構成する必要がない。
【０００７】
（発明の効果）
本発明の第１特徴によると、脱穀装置において、二番物回収部に入りかけた二番物が逆流して一番物回収部に入り込むような状態を、風によって良く抑えることができるようになり、二番物が一番物回収部に入り込むことによる選別不良を少なくすることができて、脱穀装置の選別性能を向上させることができた。この場合、二番物回収部に入りかけた二番物が逆流して一番物回収部に入り込むような状態を、風によって抑えるように構成することにより、仕切り部分を必要以上に高いものに構成する必要がないので、脱穀装置が背の高いものになるようなことがない。
【０００８】
［ＩＩ］
（構成）
本発明の第２特徴は、本発明の第１特徴の脱穀装置において次のように構成することにある。
一番物回収部と二番物回収部との間の仕切り部分から選別部の搬送下手側部に向けて、搬送下手側の斜め上方に風が送り出されるように構成する。
【０００９】
（作用）
本発明の第２特徴によると、本発明の第１特徴と同様に前項［Ｉ］に記載の「作用」を備えており、これに加えて以下のような「作用」を備えている。
本発明の第２特徴によると、仕切り部分から上方の選別部の搬送下手側部に向けて、搬送下手側の斜め上方に風が送り出されているので、前項［Ｉ］に記載のように、二番物回収部に入りかけた二番物が逆流して一番物回収部に入り込もうとし仕切り部分に達した場合、一番物回収部に入り込もうとした二番物が、風の流れにより止められて二番物回収部に押し戻されようとする。
この場合、本発明の第２特徴によると、仕切り部分から上方の選別部の搬送下手側部に向けて、搬送下手側の斜め上方に風が送り出されているので、前述の風が選別部の搬送下手側部に対する選別風として機能することになる。
【００１０】
（発明の効果）
本発明の第２特徴によると、本発明の第１特徴と同様に前項［Ｉ］に記載の「発明の効果」を備えており、これに加えて以下のような「発明の効果」を備えている。
本発明の第２特徴によると、一番物回収部に入り込もうとした二番物が、風の流れにより止められて二番物回収部に押し戻されるようにすることができて、二番物回収部での回収効率を高めることができた。本発明の第２特徴によると、仕切り部分から上方の選別部の搬送下手側部に向けて、搬送下手側の斜め上方に風が送り出されており、前述の風が選別部の搬送下手側部に対する選別風として機能するので、脱穀装置（選別部）の選別性能を向上させることができた。
【発明を実施するための最良の形態】
【００１１】
図１は自脱型のコンバインに搭載される脱穀装置を示しており、脱穀装置は刈り取られた穀稈の株元側を挟持して搬送するフィードチェーン１、扱室２、扱室２の前後軸芯Ｐ１周りに回転駆動される扱胴３、扱胴３の下側に沿って配置される受網４、受網４の下側に配置される選別部５、選別風を供給する唐箕６、一番物回収部７、二番物回収部８及び排塵ファン９等を備えて構成されている。
【００１２】
図１及び図２に示すように、選別部５は右及び左の側板２８の間に、搬送上手側部に配置された第１グレンパン１０、第１グレンパン１０の後部から搬送下手側に延出された複数の細い線状部材１１、線状部材１１の下方の搬送下手側に配置された第１チャフシーブ１２及び第２チャフシーブ１３、第１チャフシーブ１２の上方に配置された第２グレンパン１４、第１ストローラック１５及び複数の細い線状部材１６、第１チャフシーブ１２の下方に配置された第３グレンパン１７及びグレンシーブ１８、搬送下手側部に配置された第２ストローラック１９等が取り付けられて構成されており、選別部５の全体が搬送方向に沿って往復駆動されている。
【００１３】
図１及び図２に示すように、一番物回収部７は、半円筒状の受け板２０、受け板２０から搬送下手側に向けて斜め上方に延出された案内板２１、受け板２０において横軸芯周りで回転駆動される搬送スクリュー２２を備えて構成されている。二番物回収部８は、半円筒状の受け板２３、受け板２３から搬送上手側及び搬送下手側に向けて斜め上方に延出された案内板２４、受け板２３において横軸芯周りで回転駆動される搬送スクリュー２５を備えて構成されている。
【００１４】
図２に示すように、選抜部５の右及び左の側板２８に亘って案内板３３が固定され、案内板３３の後端部３３ａが上向きに折り曲げられており、案内板３３に薄いゴム板製の案内部材２９が固定されて、案内部材２９が案内板２１に乗せられている。案内板３３に薄い縦壁状のブラケット３０が固定され、ブラケット３０に薄いゴム板製の案内部材３１が固定されており、案内部材３１が搬送上手側の案内板２４に乗せられている。選別部５に薄いゴム板製の案内部材３２が固定されており、案内部材３２が搬送下手側の案内板２４に乗せられている。
【００１５】
これにより、図１及び図２に示すように、グレンシーブ１８から漏下した一番物が案内板３３、案内部材２９及び案内板２１から一番物回収部７に回収され、搬送スクリュー２２により外部に排出されてグレンタンク（図示せず）に搬送される。第２ストローラック１９の付近から漏下した二番物が、案内部材３１，３２、搬送上手側及び搬送下手側の案内板２４から二番物回収部８に回収され、搬送スクリュー２５により外部に排出されて再び扱室２に搬送される。
【００１６】
図２及び図３に示すように、受け板２０が多数の小さな開口２０ａを備えたもの構成されており、前述のように一番物が搬送スクリュー２２により外部に排出される際、少しワラ屑等の残る一番物が搬送スクリュー２２と受け板２１との間で揉み処理されて、ワラ屑等が受け板２０の開口２０ａから下方に漏下する。受け板２０は脱穀装置の側面部分から抜き出すことが可能であり、受け板２０を抜き出すことによって受け板２０の掃除を行ったり、開口２０ａを備えない受け板（図示せず）に交換したりすることが可能である。
【００１７】
図２及び図３に示すように、受け板２３が多数の小さな開口２３ａを備えたもの構成されており、前述のように二番物が搬送スクリュー２５により外部に排出される際、二番物が搬送スクリュー２５と受け板２３との間で揉み処理されて、ワラ屑等が受け板２３の開口２３ａから下方に漏下する。受け板２３は脱穀装置の側面部分から抜き出すことが可能であり、受け板２３を抜き出すことによって受け板２３の掃除を行ったり、開口２３ａを備えない受け板（図示せず）に交換したりすることが可能である。
【００１８】
図２に示すように、案内板２１，２４の間の仕切り部分に相当する位置に開口部２６が形成されており、横軸芯周りで回転駆動される横断流型式のファン２７が、開口部２６に下側に備えられている。案内板３３が搬送下手側に向いて斜め上方に向いて、案内部材２９も搬送下手側に向いて斜め上方に向いており、案内板３３に略水平に搬送下手側に向く案内板３４が固定されている。案内部材３１は案内板２４に乗せられて湾曲しており、案内部材３１の上部が搬送下手側に向いて斜め上方に向いている。
【００１９】
以上の構造により、図１及び図２に示すように、ファン２７の風が開口部２６から、案内部材２９，３１及びブラケット３０の間を通り、案内板３３，３４に沿って、搬送下手側に向いて斜め上方に送り出され、二番物回収部８の上部を通過しながら、第２ストローラック１９に達する。これにより、二番物回収部８に入りかけた二番物が、案内部材３１の湾曲に抗してブラケット３０の付近に達した場合、ファン２７の風により二番物が止められて二番物回収部８に押し戻されようとする。ファン２７の風が第２ストローラック１９に達しているので、第２ストローラック１９の付近のワラ屑等が浮き上がり易くなり、第２ストローラック１９の付近のワラ屑等が排塵ファン９によって排出され易くなる。この場合、ファン２７を逆転駆動することにより、二番物回収部８の上部に浮遊するワラ屑やゴミ等を吸引して、脱穀装置４の下方に排出することができる。
【００２０】
［発明の実施の別形態］
前述の［発明を実施するための最良の形態］において、横断流型式のファン２７に代えてプロペラ型式のファン（図示せず）を使用してもよい。図１及び図２に示す位置にファン２７を備えるのではなく、脱穀装置の外部に備えられたファン（図示せず）からダクト（図示せず）を延出し、ダクトを開口部２６に接続するように構成してもよい。唐箕６からダクト（図示せず）を延出し、ダクトを開口部２６に接続して、唐箕６の選別風の一部を開口部２６に供給するように構成してもよい。
本発明は自脱型のコンバインの脱穀装置ばかりではなく、普通型のコンバインの脱穀装置や、大豆及び蕎麦用のコンバインの脱穀装置にも適用できる。
【図面の簡単な説明】
【００２１】
【図１】脱穀装置の全体側面図
【図２】ファン及び開口部の付近の拡大側面図
【図３】一番物回収部及び二番物回収部の受け板の平面図
【符号の説明】
【００２２】
２      扱室
３      扱胴
５      選別部
７      一番物回収部
８      二番物回収部
２７    送風手段
【図１】
2005102506.tif 000003
【図２】
2005102506.tif 000004
【図３】
2005102506.tif 000005